(57)【要約】      （修正有）【課題】通常、携帯電話、スマートフォン、タブレット、タブレットＰＣ、ノートパソコンなどの小型通信端末、小型コンピュータ端末（以降、小型端末等）は、「プログラムさえ追加すれば多機能かつ便利になる」という発想のもと、アプリケーションの充実は著しい。しかし、小型化を極めるタブレットやスマートフォンは、その小ささゆえインターフェイスが貧しいのが現状である。また、さまざまな小型端末等が開発されているが、デザイン重視で使い勝手を欠いたものが多く、周辺簡易端末等の開発による使い勝手の向上が課題である。【解決手段】小型端末等の操作を簡略化でき、かつ、携行が容易な簡易端末の開発。この簡易端末は、それ自体が複雑な情報処理や大規模ネットワークに直接参加することはないため、軽量かつ省電力化が可能である。【選択図】図９
2017225098.tif 000002
【特許請求の範囲】
【請求項１】
外部端末と網を介して通信可能な端末本体と有線または無線通信で接続された簡易端末であって、該簡易端末には、該端末本体を遠隔操作可能で、かつ、機能を変更可能なスイッチ、ボタン、ジョグ・ダイヤル、スライダー及びボリュームつまみのうち少なくともひとつを操作部として備え、該簡易端末には、携行のための器具を備えていることを特徴とする簡易端末。
【請求項２】
前記端末本体がスマートフォン、タブレット端末、またはパーソナルコンピュータであることを特徴とする請求項１に記載の簡易端末。
【請求項３】
前記簡易端末に端末本体の情報を表示、および／または、入出力可能な表示部を設けたことを特徴とする請求項１に記載の簡易端末。
【請求項４】
前記簡易端末上のボタンの機能、および／または、前記簡易端末上に表示部を設けた場合に表示する項目を、前記端末本体上で設定することを特徴とする請求項１ないし３に記載の簡易端末。
【発明の詳細な説明】
【技術分野】
【０００１】本発明は、小型携帯通信端末、小型コンピューティング端末の遠隔操作する簡易端末に関する。
【背景技術】
【０００２】通常、携帯電話、スマートフォン、タブレット、タブレットＰＣ、ノートパソコンなどの小型通信端末、小型コンピュータ端末（以降、小型端末等）は、「プログラムさえ追加すれば多機能かつ便利になる」という発想のもと、アプリケーションの充実は著しい。
しかし、小型化を極めるタブレットやスマートフォンは、その小ささゆえインターフェイスが貧しいのが現状である。
実際に人が触れる（入出力周辺機器）は画面と数個のボタンしかなく、快適に操作できるとは言いがたい。
音声による入出力も拡充されつつあるが、やはりもっともすばやく直感的に入力できるのは、人間の指また、さまざまな小型端末等が開発されているが、デザイン重視で使い勝手を欠いたものが多い。
同時に小型ゆえにいわゆる「複数台所有」のスタイルも増えているが、それらを有効に、あるいは同時に使えるような環境、周辺機器は開発されていない。
さらに複数所有となると、個別に充電する必要があるため、コンセントの周りがケーブルだらけという状況も発生している。
【先行技術文献】
【非特許文献】
【０００３】
【非特許文献１】ＵＳＢポート：ｉＢＵＦＦＡＬＯ  ＵＳＢ２．０ハブ  ５ポートタイプ  バスパワー電源  ブラック
【非特許文献２】Ｌｉｇｈｔｎｉｎｇポート：Ａｎｋｅｒ  プレミアムライトニングＵＳＢケーブル  ６３ＡＮＭＦＩＬＴＮ−３ＷＡ
【非特許文献３】Ｂｌｕｅｔｏｏｔｈ：ＰＬＡＮＥＸ  Ｂｌｕｅｔｏｏｔｈ  ＵＳＢアダプター  ＢＴ−Ｍｉｃｒｏ４
【発明の概要】
【発明が解決しようとする課題】
【０００４】小型端末等を複数の該簡易端末にて小型端末等の機能の一部を使用できるよう、小型端末等の使い勝手をより向上させる簡易端末を提供することを課題とする。
【課題を解決するための手段】
【０００５】小型端末等より小型・軽量の子機端末であって、有線、無線を介して小型端末等を遠隔操作可能とする。
簡易端末は小型端末等からの電源供給を受けて動作するか、または、簡易端末内に電池、バッテリー、充電式バッテリーなどを併せ持つこともある。【０００６】該簡易端末は入出力のボタン、表示部、各種接続部の他に、携行を容易にするクリップや挟み器具、ストラップホールなどを備える。
【発明の効果】
【０００７】落としかねないスマホを使用のたびに丸ごと取り出す機会が減少し、損壊の機会、歩きスマホ等の危険行為も減少する。
該簡易端末の電源を補助電源として、バッテリー不足などの機会が減少する（特に複数電源という形態は、緊急時や災害時にはきわめて有効）
【図面の簡単な説明】
【０００８】
【図１】本発明の実施形態であるリモコンとしての簡易端末の形状としての例を示す。
【図２】本発明の実施形態である通話の子機としての簡易端末の形状としての例を示す。
【図３】本発明の実施形態である小型タブレット型、もしくはカード型の簡易端末の形状としての例を示す。
【図４】本発明の実施形態であるネクタイピン型の通話の簡易端末の形状としての例を示す。
【図５】本発明の実施形態であるスティック型の簡易端末の形状としての例を示す。
【図６】本発明の実施形態であるデータ変換型の簡易端末の形状としての例を示す。
【図７】本発明の実施形態である小型端末などと簡易端末の接続の例を示す。
【図８】本発明の実施形態である簡易端末の有線接続の例を示す。
【図９】本発明の実施形態である簡易端末の携行の例を示す。
【発明を実施するための形態】
【０００９】以下、本発明の実施の形態を図１〜図９に基づいて説明する。
【００１０】図１〜４の例に示す端末は、すべて、一つ以上の有線および一つ以上の無線による小型端末等との通信機能を有する。内部には電源を有することもできる。また、自由度の高い携行を可能とする取り外し可能なクリップやストラップホールに類する器具を有する。
【００１１】図１は、リモコンとしての簡易端末であり、表示窓には最低限の親機の情報が表され、各ボタンの機能は、小型端末等のプログラムで変更することができる。
【００１２】図２は、これまでの一般的な携帯電話の形状をしており、主たる用途は通話である。
【００１３】図３は、小型タブレット型、もしくは、カード型の簡易端末の形状をしており、タッチパネル画面から情報を入出力する。
【００１４】図４は、スティック型の簡易端末であり、ペンやライトなどの他用途の機能を付加することができる。
【００１５】図５は、ネクタイピン型の通話を主とした小型端末であり、インナー型イヤーパッドを使用して耳にそのまま取り付けることができる。主たる用途は、通話である。
【００１６】図６は、使い済みとなった古い携帯電話などを該簡易端末化する変換アダプター。
【００１７】図７は、本端末の有線接続時の例であり、鎖状の有線接続時は鎖状に接続し、一括充電が可能である。
【００１８】図８は、本端末の有線接続時の例であり、簡易端末をハブを介してまとめ、一括充電が可能である。
【００１９】図９は、本端末の携行の例を示す。
【符号の説明】１    本体
２    データ通信兼充電ポート
３    本体情報表示窓
４    スイッチ
５    イヤホンジャック
６    マイク
７    クリップ
８    従来の携帯電話と同等のボタン群
９    従来の携帯電話と同等の充電およびデータ通信ポート
１０  データ通信、充電ケーブル
１１  スピーカー
１２  タッチパネル
１３  ペンまたはライト
１４  ストラップホール
【図１】
2017225098.tif 000003
【図２】
2017225098.tif 000004
【図３】
2017225098.tif 000005
【図４】
2017225098.tif 000006
【図５】
2017225098.tif 000007
【図６】
2017225098.tif 000008
【図７】
2017225098.tif 000009
【図８】
2017225098.tif 000010
【図９】
2017225098.tif 000011